(57)【要約】【課題】本発明は、安価で堅固な施錠を可能とした樹脂製ボックス１の扉４固定構造を提供することを目的としている。【解決手段】本発明に係る樹脂製ボックス１の扉４固定構造は、本体２及び、扉４の取っ手部５ｂ、５ａの上下にそれぞれ対向する挿通孔６ｂ、６ａを設け、ナット１０が取り付け可能であるように、本体２に設けられた挿通孔６ｂ近傍にナット１０を固定するための取り付け壁７を設け、ナットのねじ溝を利用して扉を本体にねじ止めすることにより固定することを特徴とする。【選択図】        図１
2004228225.tif 000002
【特許請求の範囲】
【請求項１】
本体の前面に開口を有し、該開口を回動動作により開閉可能である扉で被覆して成る、各種電気機器等を収納するための樹脂製ボックスの扉固定構造において、前記本体及び、扉の取っ手部の上下に夫々対向する挿通孔を設け、ナットが取り付け可能であるように、前記本体に設けられた挿通孔近傍に前記ナットを固定する取り付け壁を設けることを特徴とする樹脂製ボックスの扉固定構造。
【請求項２】
前記前記取り付け壁は、前記本体の取っ手部上下に設けられた挿通孔の近傍いずれにも設けたことを特徴とする請求項１に記載の樹脂製ボックスの扉固定構造。
【発明の詳細な説明】
【０００１】
【発明の属する技術分野】
本発明は、本体の前面に開口を有し、開口を回動動作により開閉可能である扉で被覆して成る、各種電気機器等を収納するための樹脂製ボックスの扉固定構造に関する。
【０００２】
【従来の技術】
従来の樹脂製ボックスは強風などにより扉が開放されないように、または、いたずら防止の目的で本体と扉に挿通孔を設け南京錠等で施錠していた（例えば特許文献１参照。）。
また、小型の樹脂製ボックスであれば、挿通孔に電線の端材や針金等を挿通し縛って固定するものもあった。
その他、本体側の挿通孔にインサートナットを挿入し、扉側の挿通孔からねじを挿通しねじ止めして扉を固定していた。
【０００３】
【特許文献１】
実開昭６０−６６２１５号公報
【０００４】
【発明が解決しようとする課題】
しかしながら、上記第一の従来技術における樹脂製ボックスの扉固定構造では、見た目にも頑丈さが目立ち、小型の樹脂製ボックスになると南京錠の方が高価になってしまうことがあった。
また、第二の従来技術における樹脂製ボックスの扉固定構造では、工具がなくても電線の端材や針金等は簡単に外せるため、施錠の一つの目的であるセキュリティ性能が低いという欠点があった。
第三の従来技術における樹脂製ボックスの扉固定構造では、インサートナットの挿入は、成形時に行われることが多いが、インサートナットは高価であるため、全数取り付けるには製造費を引き上げてしまったり、一部だけ取り付けるには生産効率が下がってしまったりする欠点があった。また、インサートナットの挿入を成形後に行うと生産効率が下がってしまう他、インサートナットは特殊なもののため、将来インサートナットが必要になった場合に、入手が困難であるという欠点があった。
【０００５】
【課題を解決するための手段】
そこで本発明は、安価で堅固な施錠を可能とした樹脂製ボックスの扉固定構造を提供することを目的とし、その構造は、本体及び、扉の取っ手部の上下に夫々対向する挿通孔を設け、ナットが取り付け可能であるように、本体に設けられた挿通孔近傍にナットを固定するための取り付け壁を設けることを特徴とする。
【０００６】
また、本体の取っ手部上下に設けられた挿通孔の近傍いずれにも設けたことを特徴とする。
【０００７】
【発明の実施の形態】
本発明に係る樹脂製ボックスの扉固定構造は、本体及び扉に設けられた取っ手部に夫々対向するように挿通孔を設け、また、本体側の挿通孔近傍に取り付け壁を形成する。取り付け壁にはナットを固定するためのリブを設け、取り付け壁にナットを挿入するとリブによって圧入され、挿通孔にナットが固定される。扉を閉めて本体側と扉側に設けられた挿通孔にねじを挿通し、ナットとねじで扉を本体に固定するものである。
【０００８】
また、本発明の請求項２に係る樹脂製ボックスの扉固定構造は、本体及び扉に設けられた取っ手部の上側と共に下側にもナットを固定できるように、取り付け壁を形成する。樹脂製ボックスは、上下対称の形状とし反転させても使用可能であるので、どちらを上にしても、扉を本体に固定できるようにしたものである。
【０００９】
【実施例】
本発明に係る樹脂製ボックスの扉固定構造の実施例を図１〜図３の添付図面に基づいて説明する。
【００１０】
樹脂製ボックス１は、本体２の前面に開口３を有し、開口３を回動動作により開閉可能である扉４で被覆して構成する。扉４には取っ手部５ａが形成され、本体２側にも、扉４の取っ手部５ａに対向するように取っ手部５ｂを設ける。本体２及び扉４に設けられた取っ手部５ａ、５ｂにそれぞれ互いに対向する位置に挿通孔６ａ、６ｂを設ける。本体２側の取っ手部５ｂの内側の挿通孔６ｂ近傍には、取り付け壁７を形成する。取り付け壁７にはリブ８を立設して溝９を形成し、溝９に市販のナット１０を圧入し、挿通孔６ａ、６ｂにナット１０の穴を延設するようにナット１０を取り付ける。
【００１１】
ナット１０を取り付けた本体２に扉４を閉塞した状態で、挿通孔６ａ、６ｂにねじ１１を挿通し、ねじ１１はナット１０のねじ溝によって固定され、扉４を本体２に固定する。ねじ１１は市販品のものであっても、ドライバー等の工具が必要となり安易に扉４を開けることはできない。
【００１２】
本発明の請求項２に係る樹脂製ボックス１の扉固定構造は、樹脂製ボックス１が上下反転させても使用可能であるように上下対称に形成した場合にも、請求項１に記載の樹脂製ボックス１の扉４固定構造が使用できるように、本体２側の取っ手部５ｂには上下両方に取り付け壁７を設ける。取り付け壁７にはリブ８を立設し溝９を形成し、上下どちらか一方の溝９に市販のナット１０を圧入し、挿通孔６ａ、６ｂにナット１０の穴を延設するようにナット１０を取り付ける。
【００１３】
ナット１０を取り付けた本体２に扉４を閉塞した状態で、挿通孔６ａ、６ｂにねじ１１を挿通し、ねじ１１はナット１０のねじ溝によって固定され、扉４を本体２に固定する。ねじ１１は市販品のものであっても、ドライバー等の工具が必要となり安易に扉４を開けることはできない。
【００１４】
【発明の効果】
以上述べたように、本発明に係る樹脂製ボックスの扉固定構造は、本体及び、扉の取っ手部の上下に夫々対向する挿通孔を設け、ナットが取り付け可能であるように、本体に設けられた挿通孔近傍にナットを固定するためのリブを有する取り付け壁を設けるため、確実に扉が本体に固定できるため、屋外で樹脂製ボックスを使用した場合にも、突風などで扉が吹き飛ばされるようなことがない。また、市販品のナットやねじで固定するため、安価に且つ容易に施錠することができる。
【００１５】
また、本発明の請求項２に係る樹脂製ボックスの扉固定構造は、本体の取っ手部上下に設けられた挿通孔の近傍いずれにも設けたため、樹脂製ボックスを上下反転させても利用できるように、上下対称に形成した場合にも、確実に扉が本体に固定できるため、屋外で樹脂製ボックスを使用した場合にも、突風などで扉が吹き飛ばされるようなことがない。また、市販品のナットやねじで固定するため、安価に且つ容易に施錠することができる。
【図面の簡単な説明】
【図１】本発明に係る樹脂製ボックスの扉固定構造を示す斜視図である。
【図２】図１における取り付け壁の拡大図である。
【図３】本発明に係る樹脂製ボックスの扉固定構造を示す斜視図である。
【符号の説明】
１      樹脂製ボックス
２      本体
３      開口
４      扉
５ａ    扉の取っ手部
５ｂ    本体の取っ手部
６ａ    扉の挿通孔
６ｂ    本体の挿通孔
７      取り付け壁
８      リブ
９      溝
１０    ナット
１１    ねじ
【図１】
2004228225.tif 000003
【図２】
2004228225.tif 000004
【図３】
2004228225.tif 000005